(57)【要約】【課題】【解決手段】屋外に設置され使用される光網伝送装置において、前記光網伝送装置は開閉可能な扉を有する筐体内に収納された光ファイバアクセス機器、光ファイバ接続モジュール、光ファイバ収納箱及び電源モジュールとバッテリからなる無停電電源装置から構成され、前記光ファイバアクセス機器が前記開閉可能な扉側に配置され、前記バッテリが前記光ファイバアクセス機器の後面に配置されていることを特徴とする。【効果】屋外設置型光網伝送装置の筐体内に機器を効率良く収納でき、バッテリ交換作業、筐体内の配線・接続の作業等において作業性が向上するとともに、屋外に設置した時に設置環境に影響されない。【選択図】      図１
2004320633.tif 000002
【特許請求の範囲】
【請求項１】
屋外に設置され使用される光網伝送装置において、前記光網伝送装置は開閉可能な扉を有する筐体内に収納された光ファイバアクセス機器、光ファイバ接続モジュール、光ファイバ収納箱及び電源モジュールとバッテリからなる無停電電源装置から構成され、前記光ファイバアクセス機器が前記開閉可能な扉側に配置され、前記バッテリが前記光ファイバアクセス機器の後面に配置されていることを特徴とする屋外設置型光網伝送装置。
【請求項２】
前記光ファイバアクセス機器は前記後面のバッテリが表面に現れるように作動手段を設けて配置されていることを特徴とする請求項１記載の屋外設置型光網伝送装置。
【請求項３】
前記作動手段は前記光ファイバアクセス機器が上下左右のいずれか一方向に開閉可能なものであることを特徴とする請求項２記載の屋外設置型光網伝送装置。
【請求項４】
前記筐体の底部は内底板と外底板からなる２重底構造をなし、前記内底板並びに前記外底板には吸気穴と排気穴が設けられていることを特徴する請求項１から３記載の屋外設置型光網伝送装置。
【請求項５】
前記内底板と前記外底板に設けられた前記吸気穴と前記排気穴は内底板と外底板とでずれた位置に配置されていることを特徴する請求項４記載の屋外設置型光網伝送装置。
【請求項６】
前記内底板の吸気穴にはフィルターが設けられ、前記内底板の排気穴には排気ファンが設けられており、前記排気穴に連結された排気ダクトが前記筐体内に設けられていることを特徴する請求項４または請求項５記載の屋外設置型光網伝送装置。
【請求項７】
屋外に設置され使用される光網伝送装置において、前記光網伝送装置は開閉可能な扉を有する筐体内に収納された光ファイバアクセス機器、光ファイバ接続モジュール、光ファイバ収納箱及び電源モジュールとバッテリからなる無停電電源装置から構成され、前記光ファイバアクセス機器、前記光ファイバ接続モジュール、前記光ファイバ収納箱が前記開閉可能な扉側に配置され、前記バッテリが前記光ファイバ収納箱の後面に配置されていることを特徴とする屋外設置型光網伝送装置。
【請求項８】
前記筐体の底部は内底板と外底板からなる２重底構造をなし、前記内底板並びに前記外底板には吸気穴と排気穴が設けられていることを特徴する請求項７記載の屋外設置型光網伝送装置。
【請求項９】
前記内底板と前記外底板に設けられた前記吸気穴と前記排気穴は内底板と外底板とでずれた位置に配置されていることを特徴する請求項８記載の屋外設置型光網伝送装置。
【請求項１０】
前記内底板の吸気穴にはフィルターが設けられ、前記内底板の排気穴には排気ファンが設けられており、前記排気穴に連結された排気ダクトが前記筐体内に設けられていることを特徴する請求項８または請求項９記載の屋外設置型光網伝送装置。
【発明の詳細な説明】
【０００１】
【発明の属する技術分野】本発明は光信号を使用して加入者と信号を送受信する加入者用光通信システムにおいて加入者宅周辺まで架空敷設された光ケーブルの接続に係る屋外設置型光網伝送装置に関する。
【０００２】
【従来の技術】加入者用光通信システムとして図５に示すように、架空敷設された光ケーブル３０からアクセス点用クロージャー３３ａを経由して分岐された光単心ケーブル３１ａは、屋外設置型光網伝送装置１０内に組み込まれた光ファイバアクセス機器１３で光／電気／光信号変換を行いドロップケーブル３２又は光集合ケーブル３１ｂに分岐される。
【０００３】
屋外設置型光網伝送装置１０で分岐されたドロップケーブル３２ａは加入者宅６０ａに引き込まれ、加入者宅に設置したメディアコンバータ６１ａに接続されている。また屋外設置型光網伝送装置で分岐された光集合ケーブル３１ｂは分配点用クロージャー３３ｂで分配されたドロップケーブル３２ｂ、３２ｃにより加入者宅６０ｂ、６１ｃに引き込まれ、加入者宅に設置したメディアコンバータ６１ｂ、６１ｃに接続されている。光加入者はパーソナルコンピュータ６２ｂ、６２ｃ等のメディア機器をメディアコンバータ６１ｂ、６１ｃに接続することで加入者用光通信システムの利用を行っている。
【０００４】
ここで前記屋外設置型光網伝送装置１０に収納された光ファイバアクセス機器１３への電源は、電力ケーブル４０から分岐された電源ケーブル４１にて柱上変圧器４２に接続され、柱上変圧器４２で変圧された電源を電源供給ケーブル４３により屋外設置型光網伝送装置１０に配設された無停電電源装置１５に接続されて供給されている。
【０００５】
このような加入者用光通信システムにおいて使用される屋外設置型光網伝送装置として、光網終端装置を光ケーブルに設置若しくは電柱に設置する技術（例えば、特許文献１参照）や光網終端装置に収納した電源部とバッテリで構成される無停電電源装置においてバッテリを小型化する為に光ファイバアクセス機器の使用電源を少なくする技術、並びにバッテリに充電する技術（例えば、特許文献２参照）は知られている。
【０００６】
このような屋外設置型光網伝送装置１０は筐体１２に組み込まれた機器と光単心ケーブル３１ａ、光集合ケーブル３１ｂ、ドロップケーブル３２ａ、３２ｂ、３２ｃ、・・・、電源ケーブル４１との配線・接続がなされるのでこの作業性を考慮して筐体内において機器を同一平面上に配置されている。
【０００７】
【特許文献１】
特開平９−３２１７０６
【特許文献２】
特開平８−１９１２７３
【０００８】
【発明が解決しようとする課題】ところで、上記のような従来の技術には次のような解決すべき課題があった。
【０００９】
即ち、災害等非常時の停電に影響されること無く光加入者が光通信システムを使用できるようにする為に、加入者用光通信システムの屋外設置型光網伝送装置に組み込まれた無停電電源装置は停電復旧までの時間を考慮し約１時間から４時間の電源供給が要求されている。この様な電源供給仕様条件を満足する為には、屋外設置型光網伝送装置に接続される光ファイバの接続回線数は一般的に６回線から２４回線であり、１回線当たりの消費電力は４Ｗから６Ｗの電力供給が必要になる。この為、無停電電源装置を構成するバッテリと電源モジュールにおいてバッテリの容量としては２４ＡＨ×２個もしくは４８ＡＨ×１個を筐体内に組み込む必要があり、このことから無停電電源装置が大きくなり、ひいてはこれらを収納する筐体が大きくなるという問題があった。
【００１０】
またバッテリには寿命が有るため使用年数によりバッテリ容量が少なくなり定期的に交換が必要になる。このような場合、筐体に組み込まれた器機の配線等を外すことなくバッテリの交換作業が容易に出来ることが要求される。従来は機器を同一平面上に配置していたので筐体自体が大きいものになっていた。
【００１１】
従って、屋外設置型光網伝送装置は筐体内に収納する光ファイバアクセス機器、光ファイバ接続モジュール、光ファイバ収納箱、無停電電源装置等の機器の配置を工夫しないと大きな筐体が必要になり、光ファイバ芯線の接続作業性、バッテリの交換作業性が悪いという問題があった。
【００１２】
また屋外設置型光網伝送装置は屋外に設置される事から屋外の気象条件に配慮しなければならず、例えば夏に直射日光が当たった場合には筐体１２の表面温度は６０℃を超えることがある。さらに屋外設置型光網伝送装置に組み込まれた光ファイバアクセス機器は機器自体が発熱体であることから筐体内の温度上昇を防止する為に筐体内の排熱を促す目的での換気を考慮しないと電気回路の信頼性が損なわれるという問題があった。さらに風雨や埃等には筐体の防水性・気密性に対しての配慮が必要になる。
【００１３】
本発明はこのような点に鑑みなされたもので、屋外設置型光網伝送装置の筐体内に機器を効率良く収納でき、バッテリ交換作業、筐体内の配線・接続の作業等の作業性向上、筐体内の排熱や屋外に設置した時に屋外環境に影響されない構造等を考慮した屋外設置型光網伝送装置を提供することを目的としている。
【００１４】
【課題を解決するための手段】本発明は前記課題を解決するため、次の構成を採用する。
【００１５】
本発明の構成１は、屋外に設置され使用される光網伝送装置において、前記光網伝送装置は開閉可能な扉を有する筐体内に収納された光ファイバアクセス機器、光ファイバ接続モジュール、光ファイバ収納箱及び電源モジュールとバッテリからなる無停電電源装置から構成され、前記光ファイバアクセス機器が前記開閉可能な扉側に配置され、前記バッテリが前記光ファイバアクセス機器の後面に配置されていることを特徴とする。
【００１６】
また本発明の構成２は、前記構成１において、光ファイバアクセス機器は前記後面のバッテリが表面に現れるように作動手段を設けて配置されていることを特徴とする。
さらに本発明の構成３は、前記構成２において、前記作動手段は前記光ファイバアクセス機器が上下左右のいずれか一方向に開閉可能なものであることを特徴とする。
【００１７】
また本発明の構成４は、前記構成１から構成３において、前記筐体の底部は内底板と外底板からなる２重底構造をなし、前記内底板並びに前記外底板には吸気穴と排気穴が設けられていることを特徴する。
【００１８】
さらに本発明の構成５は、前記構成４において、前記内底板と前記外底板に設けられた前記吸気穴と前記排気穴は内底板と外底板とでずれた位置に配置されていることを特徴する。
【００１９】
また本発明の構成６は、前記構成４または構成５において、前記内底板の吸気穴にはフィルターが設けられ、前記内底板の排気穴には排気ファンが設けられており、前記排気穴に連結された排気ダクトが前記筐体内に設けられていることを特徴する。
【００２０】
本発明の構成７は、屋外に設置され使用される光網伝送装置において、前記光網伝送装置は開閉可能な扉を有する筐体内に収納された光ファイバアクセス機器、光ファイバ接続モジュール、光ファイバ収納箱及び電源モジュールとバッテリからなる無停電電源装置から構成され、前記光ファイバアクセス機器、前記光ファイバ接続モジュール、前記光ファイバ収納箱が前記開閉可能な扉側に配置され、前記バッテリが前記光ファイバ収納箱の後面に配置されていることを特徴とする。
【００２１】
さらに本発明の構成８は、前記構成７において、前記筐体の底部は内底板と外底板からなる２重底構造をなし、前記内底板並びに前記外底板には吸気穴と排気穴が設けられていることを特徴する。
【００２２】
また本発明の構成９は、前記構成８において、前記内底板と前記外底板に設けられた前記吸気穴と前記排気穴は内底板と外底板とでずれた位置に配置されていることを特徴する。
【００２３】
また本発明の構成１０は、前記構成８または構成９において、前記内底板の吸気穴にはフィルターが設けられ、前記内底板の排気穴には排気ファンが設けられており、前記排気穴に連結された排気ダクトが前記筐体内に設けられていることを特徴する。
【００２４】
【発明の実施の形態】以下、本発明の実施の形態を図面を用いて説明する。
【００２５】
＜第１の実施の形態＞    まず、本発明の実施の形態を図１、図２に基づいて説明する。
【００２６】
図１及び図２は、本発明の屋外設置型光網伝送装置の実施例を示しており、図１は切開正面図、図２は切開側面図である。
【００２７】
本実施の形態では、筐体１２の中に光ファイバアクセス機器１３と光ファイバ接続モジュール１４と光ファイバ収納箱１７と無停電電源装置１５が収納され、無停電電源装置１５は電源モジュール１５ａとバッテリ１５ｂと１５ｃからなる。ここで光ファイバアクセス機器１３、光ファイバ接続モジュール１４及び光ファイバ収納箱１７は筐体１２の開閉可能な扉側に配置され、無停電電源装置１５は前記扉に対して光ファイバアクセス機器１３、光ファイバ接続モジュール１４及び光ファイバ収納箱１７の背後、即ち電柱５０側に配置されている。無停電電源装置を構成するバッテリ１５ｂ、１５ｃは光ファイバアクセス機器１３の後面に配置され、電源モジュール１５ａは光ファイバ収納箱１７の後面に配置されている。
【００２８】
光ファイバアクセス機器１３は、図２に示すように筐体の扉を開けた時に開閉できる構造となっている。ここで開閉できる構造とは、光ファイバアクセス機器１３と光ファイバ接続モジュール１４が一体構造で構成されており、筐体内に設けられた仕切り板２０と前記光ファイバ接続モジュールを蝶番２１で係止すれば光ファイバアクセス機器１３は矢印で示したように開閉することができる。また図示しないが蝶番２１により筐体内の側面に光ファイバアクセス機器１３と光ファイバ接続モジュール１４とを係止すれば光ファイバアクセス機器を左右に動かすことができる。この場合には光ファイバ芯線３４に十分な余長を持たせておけばよい。このように螺子等で光ファイバアクセス機器１３と光ファイバ接続モジュール１４を仕切り板２０もしくは筐体１２に係止すれば光ファイバアクセス機器１３を自在に開閉することができる。
【００２９】
光ファイバアクセス機器１３と光ファイバ収納箱１７との間には光ファイバ接続モジュール１４が配置され、その間を光ファイバ芯線３４で接続している。ここで光ファイバアクセス機器１３は光／電気／光信号変換を行い光通信網に光信号を分配中継する機器である、また光ファイバ収納箱１７は筐体１２の底部から引き込まれた光単心ケーブル３１ａ、光集合ケーブル３１ｂあるいはドロップケーブル３２等の端末処理を施した光ファイバ芯線３４をコイル状にし収納する収納箱で、光ファイバ接続モジュール１４は光ファイバ収納箱から引き出された光ファイバ芯線を光ファイバアクセス機器と接続する為の接続ターミナルである。
【００３０】
また光ファイバ接続モジュール１４と光ファイバ接続箱１７の間でのみ光ファイバ芯線３４に無理な力を加えること無く光ファイバ芯線３４を曲げることができ、光ファイバ芯線３４を光ファイバ接続モジュール１４から外すことなく光ファイバアクセス機器１３を筐体の扉側に開閉でき、さらに光ファイバアクセス機器１３が扉側に倒れることでバッテリの交換作業等を扉側より取り扱うことができるので、光ファイバ芯線を光ファイバ接続モジュールから外す事無くバッテリの取外し交換が容易にできる。
【００３１】
このような構造では、光ファイバ収納箱１７と光ファイバ接続モジュール１４が筐体の扉側に配置されているので光ファイバ芯線の接続作業が容易にできる。
【００３２】
ところで、筐体１２の底部は、２重底構造をなし内底板２５ａと外底板２５ｂからなっている。内底板２５ａには吸気穴１８ａ、排気穴１９ａとケーブル用穴２２ａ、２３ａが設けられており、外底板２５ｂには吸気穴１８ｂ、排気穴１９ｂとケーブル用穴２２ｂ、２３ｂが設けられている。また吸気穴１８ａと１８ｂの穴は２重底構造の内底板２５ａと外底板２５ｂで位置をずらして設けられている。同様に排気穴１９ａと１９ｂも内底板２５ａと外底板２５ｂで位置をずらして設けられている。この理由は、吸気穴、排気穴を内底板２５ａと外底板２５ｂでずらして穴を設けることで雨等が直接筐体内に侵入することを防止できるためである。また、外気の埃が筐体内に侵入するのを防止するため、吸気穴１８ａにはフィルター２７を排気穴１９ａには排気ファン２６とフィルター２７が取り付けられている。フィルター２７は定期的に交換する事を考慮しフィルター交換できるように係止すればよい。ここで排気ファン２６は常時作動した状態にしてもよいが、筐体１２内に温度感知センサーを設け、筐体内の温度が上昇したときにファンが作動するようにしてもよい。
【００３３】
また、排気ダクト２８は筐体内に収納した光ファイバアクセス機器等の発熱により温度が高くなった空気を外部に効果的に排出するために設置したもので、筐体内の機器を係止するための仕切り板２０を利用し排気ダクトを構成している。このように筐体に排気ダクトと排気ファンを設け温度が高くなった空気を外部に排出することで筐体内の温度が上昇するのを防止できる。なお、排気ダクトは本実施の形態では筐体内の空間を利用して設けているが、独立した構造のダクトを設けてもよく、本発明の目的に適うものならば特に限定はされない。
【００３４】
また、保護カバー１１は筐体１２の外側底面を除く面に取り付けられている。筐体１２の下部は筐体自体が２重構造をしているので特に保護カバーを取り付ける必要性は少ない。ここで保護カバー１１は筐体１２に螺子等で係止すれば良く、断熱効果を上げる為に保護カバーと筐体との間に空間を設けてもよい。このように保護カバー１１を筐体１２に取り付けることで夏場に直射日光により保護カバー自体の表面温度が６０℃を超えるような場合でも筐体の表面温度は外気温度程度になることから筐体内の温度上昇を防ぐことができる。
【００３５】
＜第２の実施の形態＞    次に、本発明の第２の実施の形態を図３、図４に基づいて説明する。図３は切開正面図、図４は切開側面図である。なお、第１の実施の形態で説明した個所と同一の個所は同一番号で表わすこととする。
【００３６】
本実施の形態では、筐体１２の中に光ファイバアクセス機器１３と光ファイバ接続モジュール１４と光ファイバ収納箱１７と無停電電源装置１５が収納され、無停電電源装置１５は電源モジュール１５ａとバッテリ１５ｂと１５ｃからなる。ここで、光ファイバアクセス機器１３、光ファイバ接続モジュール１４及び光ファイバ収納箱１７は筐体１２の開閉可能な扉側に配置され、無停電電源装置１５は前記扉に対して光ファイバアクセス機器１３、光ファイバ接続モジュール１４及び光ファイバ収納箱１７の背後、即ち電柱５０側に配置されている。そして本実施例では無停電電源装置を構成するバッテリ１５ｂと１５ｃが光ファイバ収納箱１７の後面に配置されており。光ファイバアクセス機器１３、光ファイバ接続モジュール１４と電源モジュール１５ａは光ファイバ収納箱１７とバッテリ１５ｂ、１５ｃに対し筐体内の上部に配置されている。
【００３７】
光ファイバアクセス機器１３と光ファイバ収納箱１７の間には光ファイバ接続モジュール１４を配置しその間を光ファイバ芯線で接続している。ここで光ファイバ収納箱１７は筐体１２の底部から引き込まれた光単心ケーブル３１ａ、光集合ケーブル３１ｂ、ドロップケーブル３２等の端末処理を施した光ファイバ芯線３４をコイル状にし収納する収納箱で、光ファイバ接続モジュール１４は光ファイバ収納箱１７から引き出された光ファイバ芯線３４を光ファイバアクセス機器と接続するための接続ターミナルである。このようにすると第１の実施の形態と同様に光ファイバ収納箱１７と光ファイバ接続モジュール１４が筐体の扉側に配置されているので光ファイバ芯線の接続作業が容易にできる。
【００３８】
ここで光ファイバ収納箱１７は通常バッテリ１５ｂ、１５ｃに比較し幅寸法が同等か小さいので、筐体１２に収納されたバッテリ１５ｂ、１５ｃは扉側に対し光ファイバ収納箱１７の後面に配置されていることから直接バッテリを扉側より交換等の作業ができる。この時光ファイバ収納箱１７の後面に有るバッテリ１５ｃを交換するときはバッテリ１５ｂを取外し次にバッテリ１５ｃをバッテリ１５ｂの有った所に移動すれば交換が容易にできる。バッテリの収納はこの逆の手順でバッテリを筐体内に収めれば良い。この様な構成にすれば配線を外すことなくバッテリの交換が容易にできる。
【００３９】
そして、やはり第１の実施の形態と同様に筐体１２の底部は、２重底構造をなし内底板２５ａと外底板２５ｂからなっている。内底板２５ａには吸気穴１８ａ、排気穴１９ａとケーブル用穴２２ａ、２３ａが設けられており、外底板２５ｂには吸気穴１８ｂ、排気穴１９ｂとケーブル用穴２２ｂ、２３ｂが設けられている。また吸気穴１８ａと１８ｂの穴は２重底構造の内底板２５ａと外底板２５ｂで位置をずらして設けられている。同様に排気穴１９ａと１９ｂも内底板２５ａと外底板２５ｂで位置をずらして設けられている。
【００４０】
また、外気の埃が筐体内に侵入するのを防止する為、吸気穴１８ａにはフィルター２７を排気穴１９ａには排気ファン２６とフィルター２７が取り付けられている。フィルター２７は定期的に交換する事を考慮しフィルター交換できるように係止すればよい。ここで排気ファン２６は常時作動した状態にしてもよいが、筐体１２内に温度感知センサーを設け、筐体内の温度が上昇したときにファンが作動するようにしてもよい。
【００４１】
そして本実施の形態においても第１の実施の形態と同様に配置された保護カバーが筐体１２の外側底面を除く面に取り付けられている。
【００４２】
【発明の効果】以上説明したように本発明によれば、屋外設置型光網伝送装置の筐体内に機器を効率良く収納でき、バッテリ交換作業、筐体内の配線・接続の作業等の作業性向上、筐体内の排熱や屋外に設置した時に屋外環境に影響されない構造等を考慮した屋外設置型光網伝送装置を提供することができる。
【図面の簡単な説明】
【図１】本発明の屋外設置型光網伝送装置の実施例の切開正面図。
【図２】本発明の屋外設置型光網伝送装置の実施例の切開側面図。
【図３】本発明の屋外設置型光網伝送装置の他の実施例の切開正面図。
【図４】本発明の屋外設置型光網伝送装置の他の実施例の切開側面図。
【図５】加入者光通信システムを表わす図。
【符号の説明】
１０  光網伝送装置
１１  保護カバー
１２  筐体
１３  光ファイバアクセス機器
１４  光ファイバ接続モジュール
１５  無停電電源装置
１５ａ  電源モジュール
１５ｂ  バッテリ
１５ｃ  バッテリ
１７  光ファイバ収納箱
１８ａ  吸気穴
１８ｂ  吸気穴
１９ａ  排気穴
１９ｂ  排気穴
２０  仕切り板
２１  蝶番
２２ａ  ケーブル用穴
２２ｂ  ケーブル用穴
２３ａ  ケーブル用穴
２３ｂ  ケーブル用穴
２４ａ  ケーブル用穴
２４ｂ  ケーブル用穴
２５ａ  内底板
２５ｂ  外底板
２６  排気ファン
２７  フィルター
２８  排気ダクト
３０  光ケーブル
３１ａ  光単心ケーブル
３１ｂ  光集合ケーブル
３２ａ  ドロップケーブル
３４  光ファイバ芯線
４２  柱上変圧器
４３  電源供給ケーブル
６０ａ  加入者宅
【図１】
2004320633.tif 000003
【図２】
2004320633.tif 000004
【図３】
2004320633.tif 000005
【図４】
2004320633.tif 000006
【図５】
2004320633.tif 000007